(57)【要約】      （修正有）【課題】湯面に浮遊する脂肪及び湯垢を除去する装置の提供。【解決手段】本体を湯面浮遊させた状態で、スイッチ１５入力によりモーター７で下部対流装置収納体２のスクリュー９を回転させ湯水を本体内に吸入し、吸入口４に設けたフィルター３により脂肪及び湯垢を除去し、流入した湯水を排出方向を変更できる操舵板１１の排出口１０から排出させることができるようにする。【選択図】図１
2008259803.tif 000002
【特許請求の範囲】
【請求項１】
吸入、排出口を持ち、動力モーターにスクリューを直結して対流を起し、湯水を吸排出する装置。
【請求項２】
円周の吸込口にリング状のフィルターを持つ装置。
【請求項３】
排出口に、排出方向を変更する操舵板を持つ装置。
【発明の詳細な説明】
【図面の簡単な説明】
【図１】は本発明の浴槽内浮遊湯垢取器の断面図である。上部密閉室と下部湯水対流室からなる。上部は密閉され浮力を持ち、スクリュー回転源の電池、モーター及スヰッチを内蔵する。下部には、吸入排出口及フィルターからなり、対流を発生させる為のスクリューからなっている。尚排出口の外部に本体の浮遊方向を変えさせる操舵板がついている。
【図２】は湯垢を吸收除去するフィルターである。
【図３】は流入口をもったフィルター装着リングである。
【図４】は本体上部蓋を、外した平面図で、電池モーター及スヰッチの位置関係である。
【図５】は下部よりみた平面図である。
【図６】・〔図７〕は操舵板である固定板と可動板よりなり、可動板の位置を変更することにより、流出口を設定し、静止又は浮遊させる。
【符号の説明】
１．本体密閉上蓋
２．下部対流装置收容体
３．フィルター
４．吸入口、及フィルター支え板
５．フィルター押えリング
６．電池
７．モーター
８．回転シャフト
９．スクリュー
１０．排出口
１１．操舵板
１２．＋電極
１３．−電極
１４．スヰッチキャラクター
１５．スヰッチ
【発明の詳細なる説明】
【技術分野】
【０００１】本発明は、入浴時に、発汗等により分泌した、脂肪及垢等が、湯面に浮遊する。この脂肪垢等をフィルターにより除去する。
【背景技術】
【０００２】給湯式の浴槽の場合特別に器具はなく、洗剤で
2008259803.tif 000003
ですくいとっていた。【０００３】循環式浴槽の場合は、加熱釜の内部にポンプ又は水道ホースで勢い良く送水し、釜に附着した、垢や脂肪を洗い流す方法を行っていた。
【課題を解決する為の手段】
【０００４】前記課題を解決する為に、常時、本体を湯面に浮遊させ、対流機構により湯水を本体内を対流させ、周囲
2008259803.tif 000004
する装置である。
【０００５】図１でわかる如く、スクリューを稼動することにより、湯面の湯水を吸入する、その際にフィルターを通過するので
2008259803.tif 000005
【０００６】
2008259803.tif 000006
により排出方向が変向でき、本体は静止又は浮遊する。
【０００７】湯水の排出力により、本体を浮上させ、フィルター部分が丁度湯面に位置するようになっている。
【発明の効果】
本発明により以下の効果を奏することが出来る。
【０００７】
2008259803.tif 000007
放出され湯面に浮遊する、又体に付着していた汚れも湯で溶解し、湯面に浮遊するものが多い。
【０００８】浴槽から上ると、湯面が下ると同時に、今迄浮遊
2008259803.tif 000008
にも付着する。
【０００９】複数人が入浴すると、湯面付近には、たくさんの
2008259803.tif 000009
身体に付着した脂肪分等は、上り湯を使っても、必ずしも、全部除去出来ない、故にバスタオルも汚れるわけである。
【００１０】入浴終了後湯を落すと、湯面が下ると共に
2008259803.tif 000010
ある。まして循環式の場合は、循環式の釜の内部に付着するので、長期間釜の掃除をしないと、多くの不純物が、こびりつき掃除し難いし不衛生である。
【００１１】本体を入浴時から排水し終える迄稼動して
2008259803.tif 000011
收し、フィルターで除去する。
【００１２】
2008259803.tif 000012
收され衛生的であり、掃除もし易い。
【００１３】又本体の上部にあるスヰッチのつまみに、グッズを取付けておけば、いやしにもなり又子供も喜んで入浴する。
【図１】
2008259803.tif 000013
【図２】
2008259803.tif 000014
【図３】
2008259803.tif 000015
【図４】
2008259803.tif 000016
【図５】
2008259803.tif 000017
【図６】
2008259803.tif 000018
【図７】
2008259803.tif 000019
【手続補正書】
【提出日】平成19年8月19日(2007.8.19)
【手続補正１】
【補正対象書類名】明細書
【補正対象項目名】全文
【補正方法】変更
【補正の内容】
【発明の詳細な説明】
【技術分野】
【０００１】本発明は、浮遊器に、対流機構を設け、途中にフィルターを取付けて、湯垢等を除去する浮遊器に関する。
【背景技術】
【０００２】従来、入浴后の湯面には、垢や脂肪必ず浮いており、手桶等で、すくい取っていた。【０００３】又水位が減じた浴槽内の側面部に、垢や脂肪が付着し、次に入浴する人に対して不衛生であり、不快感であった。【０００４】循環式浴槽の場合は、排水時に水位が下っていく時釜の周囲に湯垢等が付着し、釜が高熱の為、こびりつき不衛生である。
【課題を解決する為の手段】
【０００５】前記課題を解決する為に、常時本器を湯面に浮遊させ本器に内装した湯水対流機構により、湯水を本体内を対流させ、吸水口４に設けたフィルター３により、湯面の湯垢及脂肪を除去する装置である。
【０００６】図１でわかる如く、スクリュー９をモーター７で回転させ、ポンプの役目をなす。このポンプにより吸水口４より湯水が吸入され、排水口１０より排出される。
【０００７】この対流の吸入口４の外周に、湯垢及脂肪を除去するフィルター３を設けている。フィルター３は、カバー５により固定されて居りフィルターは容易に取外出来る。
【０００８】吸水口４の部位は、丁度水面と同様の位置になる如く浮力で調整してある。
【０００９】吸水された湯水は排出口１０から流出するが、排出口１０に取付られた操舵装置図６図７により、静止又は遊動させる。
【００１０】操舵装置図６図７は、排出口１０の１／４が防がれ１２  １／４相当の操舵板１３を、図６、図７の様に認意の位置に回転させて排水口１０の位置を変更することが出来る。
【００１１】図７の如く排水口を対称的に位置すれば、本器は湯面に静止し、図６の如く排水口１０を片側のみにすると片側のみから排水され本器は遊動する。
【発明の効果】
【００１２】本発明により以下の効果を奏することが出来る。
【００１３】入浴すると、入浴前の汚れが溶解し、又入浴すると体温が上昇し発汚する為、垢脂肪が放出され湯面に浮遊し不衛生である。
【００１４】又浴槽から上ると、湯面が下る為、今迄浮いていた垢や脂肪が、浴槽内面の壁に付着するし、又、湯面から上る体にも付着する。
【００１５】複数の人が入浴すると、その現象は増々現われ、浴槽の内面、特に上部はザラザラする程付着し、不衛生であり、又体に付着するので、シヤワーを、あびなくてはいけない。
【００１６】特に循環式の場合は、釜の内部に垢や、脂肪が浸入し付着し、釜の内部が高温の為こびりつく、その為、掃除が大変である。
【００１７】従来は、その不衛生さを、なくす為、手桶等で、すくい取っていた、しかし浴槽の壁に付着したもの、まして循環式の釜に付着した垢や脂肪を取除くことは大変であった。
【１１０８】本器を入浴時から入浴終了后排水し終える迄稼働しておくと、常時本器が湯面を浮遊し乍ら湯面の垢や、脂肪を吸入し、フィルターで除去してくれる。
【１１０９】このことにより、入浴中殆んどの、垢、脂肪は吸収され衛生的である。
【１１１０】フィルターは、簡単に外れるので、掃除も簡単である。
【１１１１】又本体の上部にあるスヰッチのつまみに、グッズを取付けておけば、いやしにもなる。
【図面の簡単な説明】
【１１１２】
【図１】浴槽内浮遊湯垢取器の断面図である。全体的に外部は円型になっている  上部は密閉室になって居り、電池、モーター及びスヰッチを収納している。又、それと同時に浮力を有する空間を有している。下部は、湯水の吸入口とフィルター及排出口を有し、湯水の循環させる為スクリューからなり、排出口に本器を静止、浮遊させる為の操舵装置がついている。
【図２】垢、脂肪を吸収除去するフィルターである。
【図３】フィルターを固定するリングである
【図４】本器の上部の密閉室内部図で、電池、モーター及びスヰッチの回路図である。
【図５】本器を下方から見た図で、排出口、操舵装置、スクリューを示す
【図６】操舵装置の図である。排水口の１／４は閉鎖１２され３／４は、排水口１０になっている。この３／４の排水口に操舵板１３が設けられ移動可能式になって居り認意の位置に固定できる。図６は排水口が半円が閉、半円が開になっている為、片方のみで排水する為水流により本器は移動する。
【図７】操舵装置の開と閉部が、対称的になっている為本器は静止する。
【符号の説明】
【１１１３】１．本体密閉上蓋
２．下部、循環装置収容体
３．フィルター
４．吸水口及フィルター保持リング
５．フィルター押えリング
６．電池
７．モーター
８．回転シヤフト
９．スクリュー
１０．排出口
１１．操舵装置
１２．＋電極
１３．−電極
１４．スヰッチキャラクター
１５．スヰッチ